Podtech/llm-jp-corpus-v4-ja_patent huggingface dataset:
(57)【要約】【課題】割れやすいガラス天板と脚体と確実に固定できるようにし、、しかも製造工程が簡易でコストダウンが可能となるようにすること。【解決手段】天板１の裏面の２ヶ所以上の適宜位置に、ナット２１を固設するとともに、下方にボルト挿入孔３２を設け、前記ナット２１を嵌め込む嵌合孔３１を設けた脚体固定板３を、前記ナット２１のねじ穴２２に、ワッシャー６を介してボルト５をねじ止めして、天板１に固定する。【選択図】        図１
2006192240.tif 000002
【特許請求の範囲】
【請求項１】
天板（１）の裏面の２ヶ所以上の適宜位置に、ナット（２１）を固設するとともに、下方にボルト挿入孔（３２）を設け、前記ナット（２１）を嵌め込む嵌合孔（３１）を設けた脚体固定板（３）を、前記ナット（２１）のねじ穴（２２）に、ワッシャー（６）を介してボルト（５）をねじ止めして、天板（１）に固定してなるテーブル
【請求項２】
天板（１）が、ガラス又は石材である請求項１記載のテーブル
【請求項３】
ナット（２１）の上面が、平面である請求項１又は請求項２記載のテーブル
【発明の詳細な説明】
【技術分野】
【０００１】  本発明は、天板、特に脚体を直接固定することが困難な天板がガラスや石材を素材としたものである場合、この種天板を安全確実にかつ容易に脚体に固定できるようにしたテーブルに関するものである。
【背景技術】
【０００２】  テーブルの天板は、通常脚体を取付けた額縁状の天板枠体に嵌め込むものが殆どで、ガラステーブル等の場合でも、天板となるガラス板を天板枠体に嵌め込むものであった。【０００３】  しかし、このように天板を天板枠体に嵌めこんだだけでは、座卓のように、部屋の掃除の際にテーブルを横に起こして行うことがあるので、ガラス天板が天板枠から外れ破損してしまい危険であった。【０００４】  このようなことから、ガラス天板の場合、天板の側縁を取付金具や溝状の枠体に差し込むことにより固定するものがあった（特許文献１、２参照）。【０００５】  しかしながら、特許文献１の場合、茶碗等を置いた時に取付け金具に引っ掛かり邪魔となっていた。また、特許文献２のようなものは、構造が複雑となるため安価な商品提供が難しいものであった。【０００６】
【技術文献１】
実公昭５７−４５８７３号公報
【技術文献２】
実公昭５７−３６０１９号公報
【発明の開示】
【発明が解決しようとする課題】
【０００７】  涼感を好む夏場には、ガラス天板のみのテーブルが望まれているが、天板上にはコップなどが引っ掛からないように枠体などはできるだけ設けないことが望ましい。【０００８】  しかし、枠体なくしてガラス板等のみを天板とする場合、直接天板に脚体を取付ける必要があるが、技術的には難しいものであった。【０００９】  脚体をガラス天板に接着剤等で固着したとしても、接着面が少ないので接着力が弱くすぐに剥がれてしまう危険があり実用的ではないからである。
【課題を解決するための手段】
【００１０】  このような問題点を解決するために、本発明は、天板１の裏面の２ヶ所以上の適宜位置に、ナット２１を固設するとともに、下方にボルト挿入孔３２を設け、前記ナット２１を嵌め込む嵌合孔３１を設けた脚体固定板３を、前記ナット２１のねじ穴２２に、ワッシャー６を介してボルト５をねじ止めして、天板１に固定したことを特徴とするものである。
【発明の効果】
【００１１】  本発明は、このような構成であるので、脚体固定板３の嵌合孔３１に、天板１に固設したナット２１を嵌め込み、下方よりボルト５をワッシャー６を介してねじ止めするだけでテーブルを組み立てることできる。従って、未熟練者にも容易に作業することができ、安価なガラステーブルの提供が可能となる。【００１２】  脚体４は、天板１ではなく、直接脚体固定板３に固定しているので確実に固定でき、使用中に外れる心配がなく安心して使用することができる。【００１３】  天板１には、ナットを固着し、脚体固定板に設けた嵌合孔にナットを嵌め込むようにしているので、天板の裏面と脚体固定板の上面とを密着させることができる。そのため、両者が確実に固定されるので外れることなく安心して使用することができる。【００１４】  また、天板として透明ガラスを使用する場合、脚体固定板３がデザイン的効果を持たせることができる。
【発明を実施するための最良の形態】
【実施例１】
【００１５】  実施例について図面を参照して説明すると、図１において、１は、本発明で使用するガラスや石材を素材とした天板であって、裏面の適宜位置にナット２１を赤外線圧着や真空接着により固着している。ナット２１の上面は、平面であって、ねじ孔２２はナット２１の上面に突き抜けないようにしている。【００１６】  ３は、脚体固定板であって、下面には脚体４を固定するとともに、上面には前記ナット２１に対応する略同形状の嵌合孔３１を設けている。３２は、ボルト挿入孔である。【００１７】  ５は、ボルトであって、脚体固定板３の下方よりボルト挿入孔３２より大きいワッシャー６を介してボルト挿入孔３２より挿入し前記ナット２１のねじ孔２２に螺入している。【００１８】  また、脚体固定板３は、天板１に接着剤等で接着するようにしていると、より天板との固着力が増すこととなる。【００１９】  脚体固定板３は、素材として木材等を使用していると、直接脚体４をねじ止め等することができるので確実に固定することができる。
【実施例２】
【００２０】  天板として、ガラス又は石材を素材としている。【００２１】  脚体４が折り畳みのものである場合、折り畳むと、ガラス面に脚体４の底部があたり割ってしまう危険がある。そこで、脚体４の取付け部４１の折り畳み側に棒状の枕４２を設けていると脚体４を折り畳んでも、脚体４の基部が枕４２に当たるため、脚体４の底部がガラス裏面より浮くこととなりガラスの破損のおそれがなくなる。
【図面の簡単な説明】
【図１】本発明のテーブルの容部断面図である。
【図２】本発明のテーブルの底面図である。
【符号の説明】
１    天板
３    脚体固定板
４    脚体
５    ボルト
６    ワッシャー
２１  ナット
２２  ねじ穴
３１  嵌合孔
３２  ボルト挿入孔
４１  取付け部
４２  枕
【図１】
2006192240.tif 000003
【図２】
2006192240.tif 000004
(57)【要約】【課題】本発明は足裏との接着面に刺激用の突起物を備えた健康スリッパについてである。従来、突起の固定された物が存在したが、効果のある箇所、欲する刺激の強度は個人差が有りそれぞれ違っている為、使用者の希望に応じた変更ができず十分な刺激効果が期待できないものであった。【解決手段】スリッパ本体１の足裏との接着面２をマジックテープにて仕上げ、裏にマジックテープを付けた刺激用の突起物３を装着し使用する。【選択図】  図１
2006192219.tif 000002
【特許請求の範囲】
【請求項１】
足の接触面をマジックテープにて仕上げたスリッパと、裏面をマジックテープで仕上げた突起物を用意し、スリッパ接触面に突起物を固定可能とし、足つぼの刺激の強さ、位置の微調整を可能とすることを特徴としたスリッパ。
【請求項２】
前記突起物は、裏面をマジックテープで仕上げ、個々人の症状に合わせ、様々な厚み、大きさ、形状、固さを選び装着できる事を特徴とする請求項１記載のスリッパ。
【発明の詳細な説明】
【技術分野】
【０００１】本発明は足裏との接着面に刺激用の突起物を備えた健康スリッパについてである。
【背景技術】
【０００２】従来、突起の固定された物が存在したが、効果のある箇所、欲する刺激の強度は個人差が有りそれぞれ違っている為、使用者の希望に応じた変更ができず十分な刺激効果が期待できないものであった。また、網羅的に差込み穴を開けたものがある（例えば、実用新案文献１参照。）が、微妙な調整が出来ないものであった。また、レールと球体受部を設けたものがある特許文献１（例えば、特許文献１参照。）が、足つぼを刺激する強さを調整することが出来ず、また、微妙な調整も出来ないものであった。
【実用新案文献１】
登録実用新案第３０６９７０８号
【特許文献１】特開平９−１４０７６６号
【発明の開示】
【発明が解決しようとする課題】
【０００３】個人個人の足裏に適した位置に、適切な刺激が容易に得られるように、位置の変更や刺激の強さを調整出来るようにする。
【課題を解決するための手段】
【０００４】スリッパ本体１の足裏との接着面２をマジックテープにて仕上げ、裏にマジックテープを付けた刺激用の突起物３を装着し使用する。
【発明の効果】
【０００５】足裏は凹凸が激しく、土踏まずや足指の付け根等の従来のマッサージスリッパではきちんと刺激が出来ない部分にも十分な刺激が出来るように様々な厚み、大きさ、形状、固さのアタッチメントを用意する。また、マジックテープにて固定する為、無段階に微妙な位置の調整を可能とする。
【発明を実施するための最良の形態】
【０００６】この発明の一実施形態を、図１に示す。
スリッパ本体１の足裏との接触面２はマジックテープ製であり、接触面には裏面をマジックテープで仕上げた突起物３を微妙な位置調整をしつつ固定することが可能である。
【実施例】
【０００７】実施形態の効果
この実施形態によれば、突起物３の形状を多数用意することにより、最適な位置に、好みの強さの刺激を与えることが出来る。また、容易に足裏への刺激位置を微妙に変え何度でも再設置する事が可能となる。
【図面の簡単な説明】
【０００８】
【図１】  この発明の一実施形態を示す斜視図である。
【符号の説明】
【０００９】１  スリッパ本体
２  足裏接触面
３  突起物（足裏刺激用）
【図１】
2006192219.tif 000003
(57)【要約】【課題】現在主に販売されている耳ツボ刺激イヤリングは、イヤリングパーツ部分がバネ式、もしくは耳朶を前後から挟む様式の為、耳朶の厚さに合わせ調節する事が出来ない為使用中に耳が痛くなり長時間の使用が不可能である【解決手段】イヤリングキャストに一般販売ネジ式イヤリングパーツを埋め込む事により、耳朶の厚さに関わらず、ネジで調節する事が出来る為、イヤリングキャスト内側に付けた突起物が耳を心地良く刺激する事が出来、アクセサリーとして楽しみながら食欲をコントロールすることができ、ダイエットに繋がるイヤリングである【選択図】  図１
2006192220.tif 000002
【特許請求の範囲】
【請求項１】
地金（銀や１８金など）で作られたイヤリングの内側に地金（銀や１８金など）で大小様々な球状の突起物（図１−Ｂ）を付け、耳のツボを刺激する様に作られたイヤリングキャスト
【請求項２】
請求項１記載のイヤリングキャスト上に一般販売ネジ式イヤリングパーツの一部を埋め込む為に、直径２．５ｍｍ、深さ１ｍｍの円状  （図２−Ｃ）（図５−Ｃ）を彫るイヤリングキャスト
【請求項３】
請求項１  ２記載のイヤリングキャスト円状の一点より垂直１．２ｃｍ、巾１ｍｍ、深さ１ｍｍ（図２−Ｄ）（図５−Ｄ）を彫るイヤリングキャスト
【請求項４】
請求項１〜３記載のイヤリングキャスト上に、一般販売ネジ式イヤリングパーツ（図６−Ｈ・Ｊ）を埋め込む様にロー付け装着したイヤリングキャスト
【請求項５】
請求項１〜４記載のイヤリングキャストにした事でイヤリングキャスト上の突起物が耳のツボに当るように製造されたイヤリングキャスト
【請求項６】
請求項１〜５記載のイヤリングキャストにした事で耳朶の厚さに応じ、自由にネジ調節をする事が出来る（図３−Ｊ）為、長時間使用していても痛くならない様に製造されたイヤリングキャスト
【請求項７】
請求項１〜６記載のイヤリングキャストにした事で色々なデザインで製作出来る為ファッション性に富み、お洒落を楽しむ事の出来るイヤリングキャスト
【発明の詳細な説明】
【発明の詳細な説明】
【技術分野】
【０００１】本発明は様々な角度から耳を刺激する様に、イヤリングの内側に付けられた突起物付きのイヤリングキャストに一般販売ネジ式イヤリングパーツの一部分を埋め込む事で耳に負担をかける事無く、耳のツボを刺激する様に作られた一般販売ネジ式イヤリングパーツ装置付きイヤリングキャストの製造方法
【背景技術】
【０００２】従来の一般販売されてる耳ツボ刺激イヤリングは銀もしくは他の合金でバネ式、又は耳朶を前後から挟む様式のイヤリングである
【発明が解決しようとする課題】
【０００３】これらのイヤリングは、イヤリングのパーツ部分がバネ式、又は耳朶を挟むだけで、耳朶の厚さにより調節する事が出来ず、長時間使用してると耳が痛くなるという問題点が存在した
【発明を解決する為の手段】
【０００４】上記問題点を解決する為に請求項１〜６のイヤリングキャストを作り（請求項７）の様にファッション性に富んだ実用的イヤリングキャストにした事
【図面の簡単な説明】
【０００５】
【図１】パーツ付きキャスト観斜視図
【図２】キャスト上面図
【図３】パーツ付きキャスト横から見た断面図
【図４】キャストに埋める上面図
【図５】パーツを埋める部分を彫った所を横から見た断面図
【図６】キャストに埋めるネジ式パーツを横から見た断面図
【符号の説明】
【０００６】Ａ  キャストデザイン部分
Ｂ  耳を刺激する球状突起物
Ｃ  パーツ円部分を埋める為に彫った部分
Ｄ  パーツ垂直部分を埋める為に彫った部分
Ｅ  キャストに埋め込むパーツ円部分を上面から見た部分
Ｆ  キャストに埋め込むパーツ垂直部分を上面から見た部分
Ｇ  パーツを埋めこむ部分を彫った所
Ｈ  キャストに埋め込みロー付けするパーツ円部分
Ｉ  キャストに埋め込みロー付けするパーツ垂直部分
Ｊ  パーツネジ部分
【図１】
2006192220.tif 000003
【図２】
2006192220.tif 000004
【図３】
2006192220.tif 000005
【図４】
2006192220.tif 000006
【図５】
2006192220.tif 000007
【図６】
2006192220.tif 000008
(57)【要約】【課題】    手指の清拭に際し、皮膚に対する安全性を確保した紙おしぼり・お手ふきの保存方法を提供する。【解決手段】    第四級アンモニウム塩２種以上とパラオキシ安息香酸エステル類１種以上を加工した紙おしぼり・お手ふきは、その配合量を化粧品基準に準ずることにより皮膚に対する安全性を確保し、複数成分の配合による相乗効果により紙おしぼり・お手ふきの長期保存が可能である。【特許請求の範囲】
【請求項１】
化粧品基準に記載されている第四級アンモニウム塩で、塩化ベンザルコニウム、塩化ベンゾトニウム、塩化セチルトリメチルアンモニウム、塩化ステアリルトリメチルアンモニウム、塩化セチルピリジニウムのうち、二種以上と化粧品基準に記載されているパラオキシ安息香酸エステル類のうち少なくとも一種類以上を配合してなる紙おしぼり・お手ふきの保存方法。
【発明の詳細な説明】
【技術分野】
【０００１】  本発明は、パルプまたは不織布等の紙おしぼり・お手ふきの保存方法に関する。詳しくは第四級アンモニウム塩、パラオキシ安息香酸エステル類などの配合加工液で処理する紙おしぼり・お手ふきの保存方法である。
【背景技術】
【０００２】  紙おしぼり・お手ふきは水を含むという性質上、微生物（細菌類・真菌類）の繁殖の危険性がある。このため加工液には防腐剤が配合されている。しかし、その配合成分や配合量においては使用用途を考慮すると、安全性の高い物質でなければならない。【０００３】  またウェットティッシュとは異なり、簡易，個包装であるにもかかわらず、３〜６ヶ月の保存期間が考えられ、その保管には夏季は冷たく、冬季は温かくするなどの条件より、より強力な防腐効果が求められている。【０００４】  使用時においては、その使用感が問題であり、ぬめり感や臭気等があってはならない。また紙おしぼり・お手ふきの加工に関しては、ほとんどがスプレー方式によるもので、均一に処理することが難しいため、加工液の浸透性及び分散性が重要になる。
【発明の開示】
【発明が解決しようとする課題】
【０００５】  本発明では、紙おしぼりやお手ふきへの加工液の配合成分及びその配合量について安全性を確保し、かつ充分な保存効果を付与することを目的とする。
【課題を解決するための手段】
【０００６】  本発明者らは上記の課題を解決する為、安全性を考慮し、化粧品に配合できる成分の中から複数成分を使用することにより、その相乗効果をもって紙おしぼり・お手ふき保存時の細菌類・真菌類の増殖を抑制する配合を発見し、本発明を完成した。
【発明の効果】
【０００７】  化粧品に添加可能な薬剤の単独使用では弱かった紙おしぼり・お手ふきの防腐効果が、複数成分の配合による相乗効果によって十分な防腐効果が得られた。
【課題を解決するための最良の形態】
【０００８】  本発明の配合組成物は塩化ベンザルコニウム、塩化ベンゼトニウム、塩化セチルトリメチルアンモニウム、塩化ステアリルトリメチルアンモニウム、塩化セチルピリジニウム等の第四級アンモニウム塩の二種以上とパラオキシ安息香酸メチル、パラオキシ安息香酸エチル、パラオキシ安息香酸プロピル、パラオキシ安息香酸ブチル等のパラオキシ安息香酸エステルの一種以上を含有する。その配合量は化粧品基準を定めたポジティブリストに準拠することが望ましい。
【０００９】  加工方法は加工する紙ならびに不織布等（以下、原反と称する）の重量に対し、１５０〜２５０％の加工液をスプレーまたは含浸等の方法で加工する。ただし加工する原反によって適切な加工量は異なる。
【００１０】  本発明の組成物以外に水、原反の殺菌として安定化二酸化塩素水を配合したり、使用時の清涼感を付与する目的で香料等の成分を配合することもできる。
【００１１】  本発明の紙おしぼり・お手ふき加工組成物は二種以上の第四級アンモニウム塩と一種以上のパラオキシ安息香酸エステル類を配合した組成物で、手指の清拭用として使用するものである。
【実施例】
【００１２】  以下、実施例により詳細説明する。しかし、本発明はこれらの実施例に限定されるものではない。【００１３】  （実施例１）本発明に使用する第四級アンモニウム塩、パラオキシ安息香酸エステル類の配合例を表１に記す。【００１４】  原反（ここではパルプを使用）に表１に記した配合薬剤を原反重量に対し２００％ムラなく含浸により処理した。比較として水のみを加工したものを作成した。【００１５】
【表１】
2006192225.tif 000002
【００１６】使用薬剤
Ａ；塩化ベンザルコニウム（日本油脂（株）カチオンＭ２−１００）
Ｂ；塩化セチルトリメチルアンモニウム（日光ケミカルズ（株）ＣＡ−２３５０）
Ｃ；塩化セチルピリジニウム（メルク・ジャパン（株））
Ｄ；パラオキシ安息香酸メチル（上野製薬（株））
Ｅ；パラオキシ安息香酸エチル（上野製薬（株））
Ｆ；プロピレングリコール（昭和電工（株））【００１７】（試験１：抗菌・防カビ試験）
試験方法
抗菌試験：ＪＩＳ  Ｌ−１９０２繊維製品の抗菌性試験に準じた。
供試細菌
Ａ：Ｅｓｃｈｅｒｉｃｈｉａ  ｃｏｌｉ  ＮＢＲＣ  ３３０１（大腸菌）
Ｂ：Ｓｔａｐｈｙｌｏｃｏｃｃｕｓ  ａｕｒｅｕｓ  ＮＢＲＣ  １２７３２（黄色ブドウ球菌）
防カビ試験：ＪＩＳ  Ｚ−２９１１カビ抵抗性試験に準じた。
供試カビ
ＪＩＳ  Ｚ−２９１１カビ抵抗性試験  繊維試験指定繊維カビ
Ａ：Ａｓｐｅｒｇｉｌｌｕｓ  ｎｉｇｅｒ  ＦＥＲＭ  Ｓ−１
Ｂ：Ｐｅｎｉｃｉｌｌｉｕｍ  ｃｉｔｒｉｎｕｍ  ＦＥＲＭ  Ｓ−５
Ｃｈａｅｔｏｍｉｕｍ  ｇｌｏｂｏｓｕｍ  ＦＥＲＭ  Ｓ−１１
Ｍｙｒｏｔｈｅｃｉｕｍ  ｖｅｒｒｕｃａｒｉａ  ＦＥＲＭ  Ｓ−１３  以上３種の混合【００１８】    判定方法
抗菌試験  細菌・・・効果あり  （−）
効果なし  （＋）
防カビ試験・・・ＪＩＳ  Ｚ−２９１１  カビ抵抗性試験  表示方法による
０・・・試料上にカビの発育なし
右側の数値は発育阻止ｍｍ数
１・・・試料上のカビの発育面積が全体の１／３以下
２・・・試料上のカビの発育面積が全体の１／３以上【００１９】  抗菌防カビ試験の結果を表２に示す。【００２０】
【表２】
2006192225.tif 000003
【００２１】（試験２：泡立ち試験）
試験方法
泡立ち試験：配合例の加工液２００ｍｌをロスマイルス法に準じ、泡立ち量を確認した。その結果を表３に示す。【００２２】
【表３】
2006192225.tif 000004
【００２３】（試験３：ぬめり試験）
試験方法
ぬめり試験：表１の配合処方で加工した紙おしぼりを５人のパネラーに使用してもらい、ぬめり感をある，なしで判断してもらった。その結果を表４に示す。【００２４】
【表４】
2006192225.tif 000005
【００２５】（試験４：変色・保存試験）
試験方法
変色・保存試験：表１の配合処方で加工した紙おしぼりを４０℃の恒温器に保管し、紙おしぼりの色及びカビの発生を確認した。その結果を表５に示す。【００２６】
【表５】
2006192225.tif 000006
【産業上の利用可能性】  以上のごとく、第四級アンモニウム塩２種以上とパラオキシ安息香酸エステル類１種以上を加工した紙おしぼり・お手ふきは、優れた抗菌・防カビ効果を発揮し、使用感及び長期保存に適している。
(57)【要約】【課題】現代人の一般常識・教養の低下が囁かれている。その原因としては本や新聞を読まない事などによる、情報の収集不足があげられる。  教養を得るための参考書などはたくさんあるが、漫画と違ってただ本の字を読んで頭で考えるという行為に対してすぐに嫌気がさしやすい。【解決手段】カードの表面の問題文を読み、答えを考える。カードをめくり答えを確認。一人で、もしくは何人かで遊ぶ形で、クイズ方式に問題を解いていく。毎日繰り返し続けることにより、トランプ・タロットカードのように遊ぶ感覚で教養を身につけられる。【選択図】図１
2006192229.tif 000002
【特許請求の範囲】
【請求項１】
表面に問題文、裏面に表面の問題の答えと解説を表記したことを特徴とするカードのセット。
【請求項２】
前記のカードには、全ての問題に共通してテーマがあり、そのテーマをカードケースに記載することを特徴とする請求項１記載のカードのセット。
【発明の詳細な説明】
【技術分野】
【０００１】  この発明は、一般教養を身に付けるための、クイズ方式にしたカード型玩具に関する。
【背景技術】
【０００２】  従来の教養の蓄え方として、参考書・問題集・試験やクイズにでそうな対策本などがある。
【発明の開示】
【発明が解決するための課題】
【０００３】  しかしながら、以上の技術によれば、勉強嫌いの人は読む・書くなどの学習行為を敬遠しやすく、教養が脳に入りにくい。
そこで、この発明は、楽しく教養が身に付くカードを提供することを課題とする。
【課題を解決するための手段】
【０００４】  以上の課題を解決するために、第一発明は表面に問題文、裏面に表面の問題の答えと解説を表記したことを特徴とするカードをセットにした玩具である。
【発明の効果】
【０００５】  第一発明によれば、カードを何度も使用することにより、教養を遊戯気分で身に付けることができる。
【発明を実施するための最良の形態】
【０００６】  この発明の一実施形態を、図１と図２に示す。
まず、カードの表面（図１）の問題文を熟読する。次にその答えが何なのかを知るために、答えと解説の表記された裏面（図２）をめくり熟読し確認する。
このカードを複数作成し、１セットに対して経済・音楽・スポーツなど様々なテーマを設ける。【０００７】「実施形態の効果」
この実施形態によれば、カードを１日１回のペースで熟読することで教養を楽しく身に付けられる。【０００８】「他の実施形態」
図１の実施形態では、縦型のカードに文章を横書きに表記したものであったが、他の実施形態では、横型・縦書きに表記されたものでも良い。
また、製造者が製作した問題やテーマで商品を提供するだけでなく、消費者の希望に沿った問題やテーマで、商品を製作し提供するものでも良い。
【図面の簡単な説明】
【０００９】
【図１】この発明のカード表面である。
【図２】この発明のカード裏面である。
【符号の説明】
【００１０】  １  問題文
２  答え
３  解説
【図１】
2006192229.tif 000003
【図２】
2006192229.tif 000004
(57)【要約】【課題】ベッドマットとベッド柵の間に装着・着脱することができるチューブ・ドレーンストッパーを使用することで、チューブ・ドレーン類が、ベッドマットとベッド柵の間に挟まることを防止することができる。それに加えて、チューブ・ドレーン類が患者の体内から抜出する事故防止に役立つ【解決手段】チューブ・ドレーンストッパーは、ベッドマットとベッド柵の間に入れて使用する用具である。チューブ・ドレーンストッパーの一角の紐取り付け部分２に紐３を付けており、紐３の先には穴明き磁石４が取り付けられている。これによりベッド柵ならびに、ベッド本体に装着・着脱が容易にできるようになっている。汚染しても、本体１をはずせば容易に洗濯・消毒ができ、衛生的で何度でも使用可能である。内部は、弾力性のあるものを有するベッドマットとベッド柵の間に使用する際に好適なサイズで長方形状などの形を有することを特徴とする。【選択図】    図１
2006192222.tif 000002
【特許請求の範囲】
【請求項１】
チューブ・ドレーン類などが、ベッドマットとベッド柵の間に挟まることを防止することができる用具である。チューブ・ドレーンストッパーの一角の紐取り付け部分２に紐３を付けており、紐３の先には穴明き磁石４が取り付けられている。これによりベッド柵ならびに、ベッド本体に装着・着脱が容易にできるようになっている。汚染しても、本体１をはずせば容易に洗濯・消毒ができ、衛生的で何度でも使用可能である。内部は、弾力性のあるものを有する。ベッドマットとベッド柵の間に使用する際に好適なサイズで長方形状などの形を有することを特徴とする
【請求項２】
ベッドマットとベッド柵の間に使用することを特徴とする請求項１記載の用具
【請求項３】
内部の弾力性のあるものがスポンジである請求項１記載の用具
【請求項４】
内部の弾力性のあるものがクッションである請求項１記載の用具
【請求項５】
紐１と穴明き磁石４の部分がベルトである請求項１記載の用具
【発明の詳細な説明】
【技術分野】
【０００１】  この発明は、手術後患者など体内にチューブ・ドレーン類（膀胱カテーテル、胃管、胸くうドレーン、経皮経肝カテーテルなどを指す  以下同文）が留置されている患者のチューブ・ドレーン類が、ベッドマットとベッド柵の間に挟まらないようにするために、ベッドに装着・着脱できる用具に関するものである。
【背景技術】
【０００２】  体内にチューブ・ドレーン類が留置されている患者は、チューブ・ドレーン類が、ベッドマットとベッド柵の間にはさまり、「ひっぱられて、抜けるのではないかという不安」があるために、ベッドの上で思いのままに体を動かすことができずに困っていた。それを防ぐために、患者はベッド柵を下げていた。【０００３】  看護師が、体内にチューブ・ドレーン類が留置されている患者を、ベッドの上での移動・体位を変えたりする援助行為の途中で、チューブ・ドレーン類が、ベッドマットとベッド柵の間にはさまり、チューブ・ドレーン類がひっぱられて患者の体から抜けかけるといった状況があった
【発明の開示】
【発明が解決しようとする課題】
【０００４】  上述のごとく、患者がチューブ・ドレーン類がベッドマットとベッド柵の間にはさまるために、故意に体を動かすことをやめてしまえば、肺炎などになったり、体内の排液を体外に出させるチューブ・ドレーン類の目的を果たさない。ベッド柵をしていないと患者がベッドからの転落する恐れがある【０００５】  さらに、チューブ・ドレーン類が患者の体から抜けてしまったら、チューブ・ドレーン類の治療目的によっては、再度体内に挿入するために、手術・処置を施さなくてはならない場合もある。回復を遅らせる原因となる可能性も高く、看護師は、このような患者の援助行為にはかなりの神経・時間を使い、ストレスがかかる状況にある【０００６】  本発明は、以上のような問題点をなくすために成されたものであり、その目的は、安価で且つ容易にベッドマットとベッド柵の間に装着・着脱することができるチューブ・ドレーンストッパーを使用することで、患者のチューブ・ドレーン類が、ベッドマットとベッド柵の間に挟まることを防止することができるようにすることにある。
【課題を解決するための手段】
【０００７】  上述の目的を達成する本発明のチューブ・ドレーンストッパーは、ベッドマットとベッド柵の間に入れて使用する。チューブ・ドレーンストッパーの一角に紐を付けており、紐の先には磁石が取り付けられている。これによりベッド柵ならびに、ベッド本体に装着・着脱が容易にできるようになっていることを特徴とする
【発明の効果】
【０００８】  本発明は、ベッドマットとベッド柵の間に装着するため、チューブ・ドレーン類がベッドマットとベッド柵の間にはさまることがなくなり、患者が思いどうりにベッドの上で体を動かせるようになった【０００９】  看護師のストレスが軽減された【００１０】  「患者の体内からチューブ・ドレーン類が抜去される」という事故が未然に防げる【００１１】  チューブ・ドレーンストッパーは本体に、磁石が取り付けられているため、ベッドから床に落ちることがなく、床の細菌類がつかず、感染防止ができる。創の痛い患者が拾う必要がなくなる。【００１２】  チューブ・ドレーンストッパーは本体に、磁石が取り付けられているため、患者が回復し体内からチューブ・ドレーン類が抜去され、不要に成った際、ベッドからはずすことができる。【００１３】  汚染しても、カバーをはずせば、容易に洗濯・消毒ができ、何回でも使用できて衛生的である。
【発明を実施するための最良の形態】
【００１４】  以下、本発明の実施の形態を図面に基づき詳細に説明する。【００１５】    図１は、斜視図である。【００１６】図１に示すように、本体１の紐取り付け部分２に紐３を通し、穴明き磁石４と結ぶ。  ベッドマットとベッド柵の間にはさみ、穴明き磁石４をベッド柵につける。ファスナー５をつけ、内部の弾力性のあるものを取り出し、双方を選択・消毒することができる。内部は、ベッドマットとベッド柵の間に使用する際に好適なサイズの長方形状の弾力性のあるものを有する。
チューブ・ドレーンストッパーの周囲に８０ｍｍ幅の布６をつける  この目的は、チューブ・ドレーン類がチューブ・ドレーンストッパーとベッドマット、ベッド柵の間にはさまらないようにするためである
【図面の簡単な説明】
【００１７】
【図１】  本発明の斜視図である。
【符号の説明】
【００１８】      １  本体
２  紐取り付け部分
３  紐
４  穴明き磁石
５  ファスナー
６  布
【図１】
2006192222.tif 000003
(57)【要約】【課題】解決しようとする課題は、ブロー成形に用いられる金型内吹込み装置において樹脂壁を貫通させようと気体吹込みピンを突き出させた時、該気体吹込みピンが該樹脂壁を完全に突き抜けることができずに樹脂のカスが該気体吹込みピンの先端に残り、成形後何かのきっかけで該カスがちぎれて成形品内に残り、該成形品を振った時にカラカラ音がするいわゆる異音発生の原因となることがあるという点である。【解決手段】吹込みピンが突き出される時、該吹込みピンを嵌着している回転体の雄ネジ山をブッシュの雌ネジ溝に沿って滑動させることで該回転体に回転運動を生じさせるから、該吹込みピンが回転しながら該樹脂壁中を通過する際に樹脂が該吹込みピンに粘着することはなく、該吹込みピンはスムーズに該樹脂壁を突き抜けるので、樹脂のカスが該吹込みピンの先端に残るようなことはなく、異音発生を防ぐという前記課題を解決した。【選択図】図２
2006192907.tif 000002
【特許請求の範囲】
【請求項１】
ブロー成形用金型において、回動自在且つ摺動可能な中空軸を嵌着した雄ネジ山付き回転体と、該雄ネジ山が滑動可能に滑合された雌ネジ溝付きのブッシュと、該回転体に嵌着され該中空軸と内部空間が連通している吹込みピンと、該ブッシュを固定する成形金型部分とからなることを特徴とする吹込み装置。
【発明の詳細な説明】
【技術分野】
【０００１】
本発明は、ブロー成形に用いられる金型内吹込み装置に関する。
【背景技術】
【０００２】
吹込み装置に関する従来技術としては特許文献１に示すようなものがある。
【特許文献１】特開２００１−１９１３９９
【０００３】
しかし、上記特許文献に記載されている「段落（００２８）・・・成形金型成形面に進退可能に設けられた気体吹込ピンを突き出させ樹脂壁を貫通させる」ような場合、時々貫通が不完全に終り該気体吹込みピンの先端に樹脂のカスが残ることもあるという欠点があった。
【０００４】
この現象を図１によって補足説明する。図１は上記樹脂のカスの生成及び残存を説明する概念図である。１は該気体吹込みピン、２は該樹脂壁、３は該カス、４は成形金型部分（上記特許文献中の成形金型成形面に相当）、１１は該気体吹込みピン１の先端を表す。
【０００５】
即ち、該樹脂壁２を貫通させようと該気体吹込みピン１を突き出させた時、該気体吹込みピン１が該樹脂壁２を完全に突き抜けることができずに該カス３が該気体吹込みピン１の該先端１１に残り、何かのきっかけで該カス３がちぎれて成形品内に残り、該成形品を振った時にカラカラ音がするいわゆる異音発生の原因となることがあった。
【発明の開示】
【発明が解決しようとする課題】
【０００６】
解決しようとする課題は、樹脂壁を貫通させようと気体吹込みピンを突き出させた時、該気体吹込みピンが該樹脂壁を完全に突き抜けることができずに樹脂のカスが該気体吹込みピンの先端に残り、成形後何かのきっかけで該カスがちぎれて成形品内に残り、該成形品を振った時にカラカラ音がするいわゆる異音発生の原因となることがあるという点である。本発明は上記の点を解決するためになされた。
【課題を解決するための手段】
【０００７】
本発明は、エアシリンダ等の推力装置により中空軸が成形金型部分方向に突き出されると、該中空軸が嵌着されている回転体の雄ネジ山をブッシュの雌ネジ溝に沿って滑動させることで該回転体に回転運動を生じさせることを最も主要な特徴とする。
【発明の効果】
【０００８】
本発明によれば、該回転体に嵌着されている該吹込みピンが回転しながら該樹脂壁を突き破るべく該樹脂壁中を通過するので樹脂が該吹込みピンに粘着することはなく、該吹込みピンはスムーズに該樹脂壁を突き抜けるので、樹脂のカスが該吹込みピンの先端に残るようなことはなく、成形後何かのきっかけで該カスがちぎれて成形品内に残り、該成形品を振った時にカラカラ音がするいわゆる異音発生のおそれがなくなるという利点がある。
【発明を実施するための最良の形態】
【０００９】
ブロー成形において、樹脂壁を貫通させようと気体吹込みピンを突き出させた時、該気体吹込みピンが該樹脂壁を完全に突き抜けることができずに樹脂のカスが該気体吹込みピンの先端に残ることを防止するという目的を、回動自在且つ摺動可能な中空軸を嵌着した雄ネジ山付き回転体と、該雄ネジ山が滑動可能に滑合された雌ネジ溝付きのブッシュと、該回転体に嵌着され該中空軸と内部空間が連通している吹込みピンと、該ブッシュを固定する成形金型部分とから構成することによって、樹脂のカスが該吹込みピンの該先端に残るようなことはないようにすることができた。
【実施例１】
【００１０】
図２は、本発明の一実施例を表す断面図である。成形金型部分４に固定されたブッシュ５の内面には螺旋状の雌ネジ溝７が切ってあり該雌ネジ溝７に、雄ネジ山９を介して回転体６が回動自在に嵌設されている。
【００１１】
該雄ネジ山９及び該雌ネジ溝７は本実施例では角ネジを採用したが、回動自在であれば台形ネジでも三角ネジや他のネジ形状でも構わない。
【００１２】
該回転体６には注射針状に先端１１が斜めにカットされた吹込みピン１０が、また該回転体６の該吹込みピン１０側と反対の側には中空軸８が該吹込みピン１０と内部空間が連通するように嵌着されており、該回転体６と該吹込みピン１０と該中空軸８とは一体となって摺動自由、且つ回動自在に該ブッシュ５内を移動できるようになっている。
【００１３】
次に本発明の作用を説明する。エアシリンダ（図示せず）等の推力装置により該中空軸８が該成形金型部分４方向に突き出されると、該中空軸８が嵌着されている該回転体６の該雄ネジ山９が、該ブッシュ５の該雌ネジ溝７に沿って滑動することで該回転体６に回転運動が生じる。
【００１４】
すると、該回転体６に嵌着されている該吹込みピン１０も回転しながら該樹脂壁２を突き破るべく突き出される。
【００１５】
この場合、該吹込みピン１０は回転しながら該樹脂壁２中を通過するので樹脂が粘着することはなく、該吹込みピン１０はスムーズに該樹脂壁２を突き抜けるため、樹脂のカスが該吹込みピン１０の該先端１１に残るようなことはない。
【００１６】
以上実施例に述べたように本発明によれば、成形後何かのきっかけで該カスがちぎれて成形品内に残り、該成形品を振った時にカラカラ音がするいわゆる異音発生のおそれをなくすことができるという効果がある。
【産業上の利用可能性】
【００１７】
本発明は、成形金型部分に進退可能に設けられた吹込ピンを突き出させ、樹脂壁を貫通させて気体を吹き込むブロー成形方法すべてに利用可能である。
【図面の簡単な説明】
【００１８】
【図１】従来技術による樹脂のカスの生成及び残存を説明する概念図
【図２】本発明の一実施例を表す断面図
【符号の説明】
【００１９】
１    気体吹込みピン
２    樹脂壁
４    成形金型部分
５    ブッシュ
６    回転体
７    雌ネジ溝
８    中空軸
９    雄ネジ山
１０    吹込みピン
１１    先端
【図１】
2006192907.tif 000003
【図２】
2006192907.tif 000004
(57)【要約】【課題】  解決しようとする課題は、複雑なカーブ形状を有する中空品をブロー成形する場合、金型或いは押出し機ヘッドを動かすブロー成形方法、またはエアでパリソンを吸引するブロー成形方法などの従来のブロー成形方法では設備投資や動力費が嵩み製造コストが高くなるという点である。【解決手段】ブロー成形装置の押出し機ヘッドに所望のカーブ形状を有するパリソンガイドを取り付け、該押出し機ヘッドから押出されたパリソンを該パリソンガイドに沿って導き、型締め前の該パリソンを該カーブ形状に賦形しながら垂下させることにより上記課題を解決した。【選択図】図２
2006192908.tif 000002
【特許請求の範囲】
【請求項１】
ブロー成形装置の押出し機ヘッドにカーブ形状を有するパリソンガイドを取り付け、該押出し機ヘッドから押出されたパリソンを該パリソンガイドに沿って導き、型締め前の該パリソンを該カーブ形状に賦形しながら垂下させることを特徴とするブロー成形方法。
【請求項２】
マルテンサイト変態終了温度 Mf点が成形後の中空品取り出し時のパリソン内空気温より高く、マルテンサイト逆変態終了温度 Af点がパリソン垂下時の該パリソン内空気温より低いという性質を有する形状記憶合金で構成したことを特徴とする請求項１に述べたパリソンガイド。
【発明の詳細な説明】
【技術分野】
【０００１】
本発明は、カーブ形状を有するもののブロー成形方法に関する。
【背景技術】
【０００２】
従来の、カーブ形状を有するものをブロー成形する方法として、特許文献１に示すような金型或いは押出し機ヘッドを動かすブロー成形方法、またはエアでパリソンを吸引するブロー成形方法などがある。
【特許文献１】特開平１０−１０９３５５
【０００３】
しかし、従来のブロー成形方法では設備投資が高くつき、また動力費が嵩むので製造コストが高くなるという欠点があった。
【発明の開示】
【発明が解決しようとする課題】
【０００４】
解決しようとする課題は、従来のブロー成形方法では設備投資や動力費が嵩み製造コストが高くなるという点である。
【課題を解決するための手段】
【０００５】
本発明は、ブロー成形装置の押出し機ヘッドにカーブ形状を有するパリソンガイドを取り付け、該押出し機ヘッドから押出されたパリソンを該パリソンガイドに沿って導き、型締め前の該パリソンを所望のカーブ形状に賦形しながら垂下させることを最も主要な特徴とする。
【発明の効果】
【０００６】
複雑なカーブ形状を有する中空品をブロー成形する場合でも、高価な設備投資を必要とせず、安価に、しかも余分なバリの発生を極力抑えた成形品を得ることができるという利点がある。
また、該パリソンガイドを形状記憶合金で構成すれば仮に該パリソンガイドが変形しても次の成形サイクル時には自動的に元の形状に復元し、何の支障もなく成形を続行することが出来ると言う利点がある。
【発明を実施するための最良の形態】
【０００７】
複雑なカーブ形状を有する中空品をブロー成形するという目的を、ブロー成形装置の押出し機ヘッドに所望のカーブ形状を有するパリソンガイドを取り付け、該押出し機ヘッドから押出されたパリソンを該パリソンガイドに沿って導き、型締め前の該パリソンを所望のカーブ形状に賦形しながら垂下させることにより、高価な設備投資を必要とせず、安価に、しかも余分なバリの発生を抑制したことで肉厚の均一性を損なわずに実現した。
【実施例１】
【０００８】
図１は、カーブ形状を有する中空品１の斜視図である。ブロー成形で該中空品１を作るに際し、肉厚を均一に保つためにバリの発生を極力抑えたい。
【０００９】
図２は本発明による１実施例を示しており、金属製のパリソンガイド３が図示しないブロー成形装置の押出し機ヘッド４のマンドレル５にネジ部６によって締結されている。７は緩み止め用のナットである。
【００１０】
次に本発明の作用を説明する。
先ず溶融樹脂からなるパリソン２が該押出し機ヘッド４から押出され、該パリソンガイド３に沿って所望の形状に曲がりながら垂下している。次に図の表裏の方向から図示しない分割金型が閉じ、該パリソン２の内部に図示しない下側の吹込み装置からエアを吹き込んで該中空品１の形状を賦形するが、この時該パリソン２は所望の形状に曲っているため、余分のバリを発生することが無い。
【００１１】
成形後、該中空品１を取り出す時は該パリソンガイド３に沿って該パリソン２を引抜けば良い。
【００１２】
尚、該パリソンガイド３を形状記憶合金で構成すれば、該中空品１を取り出す際に無理な力が加わって該パリソンガイド３が変形しても、次の成形サイクル時の該パリソン２の再押出し及び再垂下により、再押出し直後の高温の該パリソン２の熱が該パリソンガイド３に伝わり、該形状記憶合金中に記憶された元の形状が呼び戻されて該パリソンガイド３は元の形状に復元する。
【００１３】
該形状記憶合金に求められる性質としては該パリソン２を引抜く際に柔軟で変形し易いよう該形状記憶合金のマルテンサイト変態終了温度 Mf点が成形後の該中空品取り出し時のパリソン内空気温よりも高く、また再押出し直後の高温の該パリソン２の熱が該パリソンガイド３に伝わり、該形状記憶合金中に記憶された元の形状が呼び戻されて該パリソンガイド３が元の形状に復元するためにマルテンサイト逆変態終了温度 Af点がパリソン垂下時の該パリソン内空気温よりも低い必要があるが、このような要求を満たす合金としては原子比１：１のNi-Ti合金の元素Niを元素Pdで４５モル％程度置換したものが知られており、そのMf、およびAfはそれぞれ約９５℃、１３０℃程度であって前記の条件を充分満たすものである。
【００１４】
以上、本発明によれば複雑なカーブ形状を有する中空品をブロー成形する場合でも、高価な設備投資を必要とせず、安価に、しかもバリの発生を極力抑えた成形品を得ることができると言う効果が得られる。
また、該パリソンガイドを形状記憶合金で構成すれば仮に該パリソンガイドが変形しても次の成形サイクル時には自動的に元の形状に復元し、そのまま成形を続行することが出来ると言う利点がある。
【産業上の利用可能性】
【００１５】
本発明は、ブロー成形法一般に広く利用可能である。
【図面の簡単な説明】
【００１６】
【図１】カーブ形状を有する中空品の斜視図
【図２】本発明の実施例を示す断面図
【符号の説明】
【００１７】
１    中空品
２    パリソン
３    パリソンガイド
４    押出し機ヘッド
５    マンドレル
６    ネジ部
７    緩み止め用のナット
【図１】
2006192908.tif 000003
【図２】
2006192908.tif 000004
(57)【要約】【課題】  自動車運転中の携帯電話の使用は注意散漫となるため危険であり、道路交通法も改正され、自動車運転中の携帯電話の使用が禁止となった。しかし、それでも携帯電話の電源を切っていない場合には問題が生じる。例えば呼び出し音が鳴動すると、それに気を取られて運転が疎かになったり、停車してから電話に出ようとして急ブレーキや無理な車線変更を行ったりするなど、事故を誘発する虞れがある。【解決手段】  近傍の携帯電話の発着信電波をアンテナ及び発着信検出部で検出すると、表示制御部は表示器を点灯制御し、後続車に注意喚起する。【選択図】  図１
2006192920.tif 000002
【特許請求の範囲】
【請求項１】
携帯電話の発着信電波を検出するアンテナ及び発着信検出部と、この発着信検出部の検出信号に基づいて制御を実行する表示制御部とを有する携帯電話発着信表示装置本体を自動車内に搭載すると共に、当該自動車に前記表示制御部によって点灯制御される表示器を設けたことを特徴とする携帯電話発着信表示装置。
【請求項２】
前記表示器は、携帯電話発着信表示装置本体から分離設置したことを特徴とする請求項１記載の携帯電話発着信表示装置。
【請求項３】
前記表示器は、自動車のハザードランプを使用したことを特徴とする請求項１又は２記載の携帯電話発着信表示装置。
【請求項４】
前記表示制御部は、自動車の方向指示器と接続し、方向指示器の動作中にはハザードランプの点灯制御を中止することを特徴とする請求項３記載の携帯電話発着信表示装置。
【請求項５】
前記表示制御部で制御される表示器は、点滅表示であることを特徴とする請求項１乃至４記載の携帯電話発着信表示装置。
【発明の詳細な説明】
【技術分野】
【０００１】
本発明は、自動車内での携帯電話の発着信（発信と着信の総称）を検出し、後続車に表示する装置に関する。
【背景技術】
【０００２】
携帯電話の着信を離れた場所で検出し通報する装置として、特許文献１がある。これは携帯電話が着信して基地局に着信電波を送信する際、当該電波を検出して通報する装置である。なお、この装置はその所持者に通報することを目的としているため、通報手段を本装置に内蔵し、その出力も所持者に認識させる程度に小さい。
【特許文献１】特開平７−２７３８４３
【発明の開示】
【発明が解決しようとする課題】
【０００３】
自動車運転中の携帯電話の使用は注意散漫となるため危険であり、２００４年１１月から道路交通法も改正され、自動車運転中の携帯電話の使用が禁止となった。これにより、運転中の携帯電話の使用に対しては、かなりの抑止効果が期待される。
【０００４】
しかし、それでも携帯電話の電源を切っていない場合には問題が生じる。例えば呼び出し音が鳴ると、それに気を取られて運転が疎かになったり、停車してから電話に出ようとして急ブレーキや無理な車線変更を行ったりするなどにより、事故を誘発する虞れがある。
【０００５】
このような事故を防止するには、後続車に前車が携帯電話の発着信中であることを知らせて注意喚起する方法が考えられる。本発明の目的は、車中での携帯電話発着信を後続車に表示する手段を提供することにある。
【課題を解決するための手段】
【０００６】
本発明の第一は、携帯電話の発着信電波を検出するアンテナ及び発着信検出部と、この発着信検出部の検出信号に基づいて制御を実行する表示制御部とを有する携帯電話発着信表示装置本体を自動車内に搭載すると共に、当該自動車に前記表示制御部によって点灯制御される表示器を設けたことを特徴とするものである。
【０００７】
本発明の第二は、前記表示器は、携帯電話発着信表示装置本体から分離設置したことを特徴とするものである。
【０００８】
本発明の第三は、前記表示器は、自動車のハザードランプを使用したことを特徴とするものである。
【０００９】
本発明の第四は、前記表示制御部は、自動車の方向指示器と接続し、方向指示器の動作中にはハザードランプの点灯制御を中止することを特徴とするものである。
【００１０】
本発明の第五は、前記表示制御部で制御される表示器は、点滅表示であることを特徴とするものである。
【発明の効果】
【００１１】
以上のとおり、本発明によれば、自動車運転中に携帯電話で発着信した際、それを後続車に知らせて注意喚起する。これにより、後続車は、当該車の危険運転行為を予測し、注視したり車間距離を開けるなどして危険回避行動をとるので、事故の発生を防止することができる。
【発明を実施するための最良の形態】
【００１２】
図１は本発明の構成図である。携帯電話機１は従来のものであり、簡略化して電話本体である携帯電話機１とアンテナ２で構成するよう示している。８は携帯電話発着信表示装置の本体で、この携帯電話発着信表示装置本体８は、携帯電話機１を携行する運転者が乗車する自動車10に搭載され、アンテナ４，発着信検出部５，表示制御部６を有している。アンテナ４，発着信検出部５は、発着信電波固有の周波数で車内程度の至近距離から発せられた強い出力レベルのみに対応し、周波数が異なる受信電波や遠距離からの弱い電波には反応しないよう設定されている。７は表示器で、この表示器は後続車が視認可能な光量で、且つ視認できる位置に設けられる。
【００１３】
上記のように構成されたものにおいて、携帯電話機１は、アンテナ２で基地局からの受信電波3aを受信すると、着信電波３bを基地局に返信し、呼び出し音を発生する。さらに、当該の携帯者が受信釦を押下して通話を開始すると、発信電波３cを送信する。その際、当該の着信電波３bまたは発信電波３cをアンテナ４及び発着信検出部５で検出すると、表示制御部６に通知し、表示制御部６は表示器７を点灯制御して後続車20に発着信中であることを知らせる。これを視認した後続車20の運転者は徐行などの要注意運転に入ることができる。
【００１４】
図２は、本発明の第二の実施例である。図１との相違は、表示器については自動車のハザードランプ７aを使用し、さらに自動車の方向指示器７bと表示制御部６とを接続した点である。発着信検出部５がアンテナ４を介して着信電波３bまたは発信電波３cを検出すると、表示制御部６によりハザードランプ７aを点灯制御するが、その最中に運転者の操作による方向指示器７bが動作すると、ハザードランプ７aの点灯制御を中止するところに特徴がある。また、同様に、方向指示器７bの動作中に発着信電波３を検出してもハザードランプ７aの点灯制御は行わないように構成したものである。これにより、携帯電話発着信表示より優先度の高い方向指示を表示することで、安全適格な交通意思表示を行うことができる。
【図面の簡単な説明】
【００１５】
【図１】本発明の実施形態を示す構成図。
【図２】本発明の他の実施形態を示す構成図。
【符号の説明】
【００１６】
１…  携帯電話機
２…  アンテナ
３a…  受信電波
３b…  着信電波
３c…  発信電波
４…  アンテナ
５…  発着信検出部
６…  表示制御部
７…  表示器
７a…  ハザードランプ
７b…  方向指示器
８…  携帯電話発着信表示装置本体
１０…  自動車（自車）
２０…  自動車（後続車）
【図１】
2006192920.tif 000003
【図２】
2006192920.tif 000004
(57)【要約】【課題】しなやかで柔軟性があり、強度と安全性のある効率的な弾性振動翼装置を提供する。【解決手段】可塑性と弾性を有した複数の筋肉に模した物質はそれ本体に自律的に収縮する機能を持たないが、前方部の運動エネルギーを後方に媒介することと、複数の可動関節を備えた振動翼の骨格部分により拡大するＳ字型の変形波を送ることで流体の剥離を減少し推進する。【選択図】        図１
2006192928.tif 000002
【特許請求の範囲】
【請求項１】
運動エネルギーが可塑性と弾性を有した複数の物質が移動ではなく媒介により拡大するＳ字型の変形波状の弾性振動翼。
【発明の詳細な説明】
【技術分野】
【０００１】
本発明は、しなやかで柔軟性があり、強度と安全性のあるな弾性を持った振動する翼に関するものである。
【背景技術】
【０００２】
回転運動を単純な往復運動に変換することは容易にできるが、魚類の鰭や鳥類の翼の動きを模擬することは機械的に困難である。
【０００３】
なぜならば機械は柔らかくしなやかな動きに対して相性が悪い。またバネの動きは慣性による復元力のため振動翼の運動を模することは全体的に有望ではない。
【特許文献１】特開２００２−２５３８７３
【非特許文献１】永井  実著  「イルカに学ぶ流体力学」
【発明の開示】
【発明が解決しようとする課題】
【０００４】
解決しようとする問題点は、生物の柔らかく、しなやかな動きを人工的に作り出すことである。
【課題を解決するための手段】
【０００５】
本発明は、生物が瞬間的に筋肉を次々と収縮しながら変形波を生じる動きを模擬することを最も主要な特徴とする。
【発明の効果】
【０００６】
推進効率が向上する。
【発明を実施するための最良の形態】
【０００７】
本発明は、断面の中心部に複数の稼動関節を有する骨格部とそれを取巻く複数のユニットで構成された可塑性のある物質及び、全体を保護する薄く強度のある膜により構成される。
【実施例】
【０００８】
推進機関はディーゼルエンジン等の内燃機関やスターリングエンジン等の外燃機関のピストンによる往復運動を直接的に後方部にエネルギーを伝える方法と、電気モーターの回転運動を機械的に往復運動に変換して後方部にエネルギーを伝える方法がある。
【産業上の利用可能性】
【０００９】
船舶の推進装置、飛行船の翼などに利用可能である。
【図面の簡単な説明】
【００１０】
【図１】弾性振動翼の平面図である。
【図２】ピストン運動のエネルギーが外側に伝わる弾性振動翼の平面図である。
【図３】カムの利用によるエネルギーが内部に伝わる弾性振動翼の平面図である。
【符号の説明】
【００１１】
１    弁
２    骨格部
３    ピストン
４    カム
【図１】
2006192928.tif 000003
【図２】
2006192928.tif 000004
【図３】
2006192928.tif 000005